(57)【要約】      （修正有）【課題】軽微な力でエネルギーの増幅する発電補助装置を提供する。【解決手段】シーソー台２の左右上端部に載る錘８が左または右に倒れ、シーソー台中心上部に載る錘２３の左右動と、シーソー台左右上端部で吊る左右に振り移動する錘１０と、錘を含むシーソー台の荷重をシーソー台下部の片偏位置を左右折れ足３，４で交互に支え、左右交互に折れる折れ足が荷重無負担となる折れ足の片偏荷重で右または左にする重力降下と左右往復動を用いた発電補助装置。【選択図】図１
2014077426.tif 000002
【特許請求の範囲】
【請求項１】
シーソー台の左右上端部に載る錘が左または右に倒れ、シーソー台中心上部に載る錘の左右動と、シーソー台左右上端部で吊る錘も左右に振り移動する錘と、錘を含むシーソー台の荷重をシーソー台下部の片偏位置を左右折れ足で交互に支え、左右交互に折れる折れ足が荷重無負担となる折れ足の片偏荷重で右または左重力降下と左右往復動を発電補助装置とする動き。
【請求項２】
バネ押力が半円筒内を押し、半円筒と一体のテコ棒の遠距離末端が降下し、半円筒に繋ぐ、屈折繋の左または右のＶ接部に伝達し、基盤ローラー押しで基盤中心のローラーを左または右方向に押し、基盤接地ローラーが基盤に接地して踏み、基盤ローラー押しの左右振り動で補助して、シーソー台の左右往復動を補助した発電補助装置とする動き。
【請求項３】
浅いくの字に折れる左折れ足または右折れ足の交互に、大きくＶ字形に開く屈折部に嵌る重ねローラーまたは滑り材を、ローラー支えまたは滑り材支え上部を阻止棒で突っ張り、固定維持する。阻止棒末端を他力で持ち上げ屈折部から重ねローラーまたは滑り材が飛び出て、Ｖ字開口がＩ字状に変わり、深いくの字に折れる片方の折れ足でシーソー台が傾き、降下左右動して、他方の折れ足を引き起こす。他方の折れ足は荷重負担無しで深いくの字折れから浅いくの字折れに伸びて変わり、荷重負担準備する一連の動き。
【請求項４】
シーソー台上端部で吊る錘吊りの吊り軸上部の振り軸間を振り軸に載った載り錘の左または右倒れで、吊り軸から振り軸間を、載り錘の倒れと逆の右倒れまたは左倒れにして、錘吊り下部の吊り錘を載り錘の倒れ方向と同じ左振りまたは右振りにする動き。
【請求項５】
シーソー台左右上端部から吊った錘吊り下部の湾曲レールが下端部のローラーに載り、ローラーの荷重受け降下左または右移動回転が湾曲レールに伝わり、吊り錘を右または左移動に導く動き。
【請求項６】
荷重負担無しの左折れ足または右折れ足上部ローラーがシーソー台のシーソー台窪みに嵌る過程で、Ｌ字状に折れた伸縮押しをＩ字状に伸ばし自在レールを押し上げる動き。
【請求項７】
シーソー台の下部端で吊る横移動補助足のローラーが基盤傾斜面の回転降下と伸縮足が菱形から板状に変わり、基盤押受けを押して、シーソー台の右または左に移動する動き。
【請求項８】
左折れ足または右折れ足の屈折倒れで、テコが働く主ローラー下のテコ部が基盤壁を蹴り、左から右、右から左に主ローラーを押して移動する動き。
【請求項９】
登り坂の傾斜動板に載る主ローラーが登り、傾斜動板を支える奴支え位置過ぎで、奴支えの小幅倒れで、傾斜動板が左または右下がり傾斜で、主ローラー回転滑り動する動き。
【請求項１０】
半円筒の右または左下り傾斜で傾斜突っ張りの半回転軸を軸に自重で降下し、ローラーに接して突っ張り、ローラーの回転を阻止し、または半回転軸の降下で傾斜突っ張りのローラー接部がロ−ラーの回転で外れる動き。
【発明の詳細な説明】
【技術分野】
【０００１】  この発明は、シーソー台上の載り荷重を、支え位置変更により、片偏荷重降下重力と、バネ押し力を距離による比例を左右移動動力に変え、回転動で伝える、発電補助装置。
【背景技術】
【０００２】  人類文化の初期に利用したと思えるテコ応力は農耕から建造物に至る利用が不可欠であった。近年、地球温暖化現象が著しく、無限エネルギー利用が重要である。無限エネルギーの一環として、地球引力を利用したテコ応力利用の偏荷重による（特許公開平１０−８９２３６）があるが、吊り荷重は比例と摩擦によるエネルギー消耗によって、荷重と距離の比例による余力は発生せず、実現しないのが現状にある。
既存の太陽光発電、水力発電、風力発電、波力発電等、すでに実用化しているが、地球の気候風土に左右され、広大な面積と膨大な設備、費用が不可欠であり、人間社会を担っている電気の現状においても、いまだ主流は有限エネルギーである。
【発明の概要】
【発明が解決しようとする課題】
【０００３】  今日、有限エネルギー発電を利用して小型化し、移送体動力として積載する蓄電利用があるが、従来、移送体においては燃焼機関が主流で、燃焼爆発を利用する動力であれば、有限資源の枯渇、燃焼の排気による公害、これによる環境悪化、地球温暖化に進むという不都合が発生し、電動動力においても電源は蒸気を利用する原発を含む燃焼発電に依存している。
ライフラインの一旦を担う電気は現人類に欠かせない現状において、災害時、発電を分散化する必要上、地球全体の生物に害を及ぼす原発の放射能漏出の危険と発電に依存する便利との引き換えを危惧する人間社会に終止符を打つ一端として、解決することを課題とする。
【課題を解決するための手段】
【０００４】  この課題を解決するため、図１（Ａ）構成体及び図２（Ｂ）構成体、図３（Ｂ）構成体拡大図は本発明の実施例を示す断面図で、構成体図１の基盤（１）を台に、複数枚連結して対峙するシーソー台（２）を交互に支える左折れ足（３）右折れ足（４）の下部に設けるＶ字形傾斜開口の屈折部（５）のＶ字開口が狭まり、屈折部（５）を介して深く折れる左折れ足（３）または右折れ足（４）に載るシーソー台（２）の右または左が傾斜状に降下し、載った錘荷重が右または左に傾き、載り錘（８）傾斜錘（９）吊り錘（１０）ロール錘（２３）も左右移動左右倒れして、片偏荷重で右または左重力降下左右動する働き。
深いくの字に折れた右折れ足（４）の上部は右に倒れ、シーソー台（２）右が降下右移動し、過倒れ防止の凭れローラー（３８）に凭れる。
シーソー台（２）の左右振り幅は、弾み車接続軸（４３）に接続するクランクシャフト（図省略）の左右振り幅に拘束され、シーソー台（２）の左右傾斜降下で左右振り動終時、弾み車（図省略）の余力回転で左折れ足（３）または右折れ足（４）が交互に錘荷重負担無しとなる。
シーソー台（２）の右移動終時、錘荷重負担無しの右折れ足（４）の屈折部（５）の狭められたＶ字開口を押しバネ（２４）で押し広げ、浅いくの字に変わる右折れ足（４）の上部は、凭れローラー（３８）に凭れて接し、右過倒れ防止して、錘荷重負担準備をする。
浅いくの字に折れ、凭れローラー（３８）に凭れた右折れ足（４）は、重ねローラー支え（１３）上部のバランス重り（１４）の荷重で重ねローラー支え（１３）上部の右外倒れが働き、半回転軸（１５）下の重ねローラー（１１）部が屈折部（５）の右に嵌り、シーソー台（２）と錘荷重を支える準備をする。
シーソー台（２）下部右のシーソー台窪み（６）に右折れ足（４）上部のローラー（７）が嵌り、右折れ足（４）の屈接部（５）に嵌る重ねローラー（１１）が屈折部（５）から飛び出しを阻止する右の阻止棒（１２）中下部に設けたローラー（７）が阻止棒（１２）の重みで右先端が降下し、ローラー支え（１３）上部左に嵌り、右折れ足（４）の屈折を阻止して錘荷重負担の準備をする。
左または右の阻止棒（１２）左右末端を他力で持ち上げることによる屈折部（５）から重ねローラー（１１）が飛び出し、左折れ足（３）または右折れ足（４）が深いくの字折れ、片偏荷重が発生する。
シーソー台（２）の上端部左右で吊る、錘吊り（１６）の吊り軸（２１）上部短距離位置の振れ軸（１８）に載り、上部が左右に倒れる載り錘（８）と錘吊り（１６）で吊った下錘吊り（１７）上部の吊り軸（２１）最上部短距離位置の振れ軸（１８）に載る傾斜錘（９）、下錘吊り（１７）下端部の吊り錘（１０）、シーソー台（２）を支える右折れ足（４）の屈折を防ぐ屈接部（５）に嵌る重ねローラー（１１）が阻止棒（１２）の右先端を他力で押し上げることによる屈折部（５）から重ねローラー（１１）が飛び出し、屈折部（５）のＶ字開口が狭まり、右折れ足（４）が深いくの字に折れ、錘荷重とシーソー台（２）の荷重負担で右が傾斜状に降下し、この傾きで右の載り錘（８）の上部が右外側に倒れて、載り錘（８）に設けた傾斜錘押し（２０）が錘吊り（１６）で吊った下錘吊り（１７）の下の吊り軸（２１）上の短距離位置に設けた振れ軸（１８）に載った傾斜錘（９）上部右を右下に押す。
上部右を押された右の傾斜錘（９）は下の吊り軸（２１）上部の振れ軸（１８）までの下錘吊り（１７）短距離部を左に傾け、下の吊り軸（２１）の下錘吊り（１７）下部を右に振り、吊った吊り錘（１０）を右外側に押し出し、載り錘（８）を繋ぐ錘繋ぎ（１９）と傾斜錘（９）も繋ぐ錘繋ぎ（１９）を介して左の載り錘（８）と傾斜錘（９）も右内側に倒れ、左の吊り錘（１０）も右内側に引き、右振れ動で右降下片偏荷重が生じる。
シーソー台（２）と錘荷重を支える右の凭れローラー（３８）まで倒れた右折れ足（４）を左折れ足（３）の屈折によるシーソー台（２）の左降下と載り錘（８）の左倒れと、傾斜錘（９）吊り錘（１０）の左移動で錘繋ぎ（１９）を介して右の錘荷重も左向き移動して、左片偏荷重で、シーソー台（２）を含む右折れ足（４）を左方向に引き起こす働きをする。
シーソー台（２）上部中心で支える左右降下自在レール（２２）内をロール錘（２３）の端部のローラー（７）がシーソー台（２）右降下でロール錘（２３）がローラー（７）を介して右に回転降下右移動し、右片偏荷重が重なり、自在レール（２２）の両端部に設けた押しバネ（２４）がロール錘（２３）の右移動荷重で縮み、自在レール（２２）右端部に到達すると縮んだ押しバネ（２４）が反発反動してロール錘（２３）を左上方に短距離押し戻す。
左の阻止棒（１２）の左先端を他力で押し上げると、阻止棒（１２）下部のローラー（７）が上向きにローラー支え（１３）上部から外れ、ローラー支え（１３）下部左の重ねローラー（１１）が屈折部（５）から飛び出し、シーソー台（２）と載り錘（８）傾斜錘（９）吊り錘（１０）ローラー錘（２３）の荷重による屈折部（５）のＶ字開口が狭まり、左折れ足（３）の浅い逆くの字折れから深い逆くの字に折れ、荷重負担のシーソー台（２）の左下がり傾斜で左降下左移動が発生する。
左折れ足（３）右折れ足（４）を支える主ローラー（２５）は、左折れ足（３）の深い屈折による下部のテコ部（２６）下部のローラー（７）が基盤壁（２７）を蹴り、テコ押しして左右が降下傾斜状になる傾斜動板（２８）上の主ローラー（２５）を右に押し、右への回転移動に導き、左右小幅に倒れる奴支え（２９）上のローラー（７）を介して傾斜動板（２８）上を右に回転移動して傾斜動板（２８）の右下がり傾斜に導き、シーソー台（２）を含む左折れ足（３）右折れ足（４）を傾斜動板（２８）の左登り坂で、これを支える奴支え（２９）上部が左に倒れ、左折れ足（３）右折れ足（４）を含むシーソー台（２）に載る上部の全荷重を左から右に移す。
シーソー台（２）を含む錘荷重を支えた左折れ足（３）左の重ねローラー（１１）が左の屈折部（５）から飛び出し、荷重を受けた左折れ足（３）によるシーソー台（２）の左降下左下がり傾斜が生じ、シーソー台（２）に載る載り錘（８）傾斜錘（９）、が左方向に倒れ、吊り錘（１０）、ロール錘（２３）の左移動が生じる。
シーソー台（２）の左降下で、シーソー台（２）の左右下部に設けた半回転軸（１５）で吊った横移動補助足（３０）下部のローラー（７）が基盤傾斜面（３１）に接し、菱繋ぎ（３２）で繋ぐ伸縮足（３３）下部のローラー（７）がシーソー台（２）を含む錘荷重で固定軸ローラー（３４）と基盤傾斜面（３１）に狭窄され、菱形状の菱繋ぎ（３２）が移動軸（３５）を介して板状に変形して伸び、伸縮足（３３）下部のローラー（７）が基盤押受け（３６）の壁を蹴り、シーソー台（２）の左移動を助ける。
シーソー台（２）の左降下で、シーソー台（２）左下端部のローラー（７）が基盤傾斜面（３１）に載り、左下方向に左回転で滑り左移動し、錘吊り（１６）下部の湾曲レール（３７）が載る左の下端部のローラー（７）の左回転が湾曲レール（３７）に伝わり、湾曲レール（３７）を左外側に押し、傾斜錘（９）、吊り錘（１０）の左移動を促進する。
シーソー台窪み（６）に錘荷重負担無しの右折れ足（４）上部のローラー（７）が嵌ると同時に、Ｌ字に折れ縮んだ伸縮押し（３９）に接し、バネ押し孔（４０）（詳細図省略）、内で働く誘導ローラー（４１）と伸縮押し（３９）を挟む誘導ローラー（４１）の案内で、縮んだＬ字形の伸縮押し（３９）を押してＩ字状に伸ばし、自在レール（２２）の右下を押し上げ、左下がりに傾け、ロール錘（２３）の右移動時に備え、左方向移動を助ける。
阻止棒（１２）の遠距離端部を他力で持ち上げ、屈折部（５）から外し、交互に折れる左折れ足（３）または右折れ足（４）のシーソー台（２）支え位置変更による左右移動、片偏荷重の荷重降下をシーソー台（２）上部に固定したアーム（４２）中心上部の弾み車接続軸（４３）からクランクシャフト及び弾み車（図省略）に接続して伝え、左右往復動を引き出す。
図２（Ｂ）構成体のシーソー台（２）と一体の下アーム（４４）下部中心に設けたバネ押拘束軸（４５）とシーソー台（２）下部中心に設けたバネ押拘束軸（４５）内で伸縮する鞘筒（４６）の上下に設けた固定軸（４７）で固定した押しバネ（２４）に押されるローラー（７）が半円筒（４８）と一体のテコ棒（４９）テコ棒末端（５０）に吊り錘（１０）が載り、テコ棒（４９）を下に押し、バネ押拘束軸（４５）内で押しバネ（２４）に押されたローラー（７）が半円筒（４８）内を右または左に回転移動する。
左のテコ棒（４９）降下と一体で働く左下がり傾斜の半円筒（４８）内のローラー（７）の左回転左移動終時、半円筒（４８）左右位置に設けた右の傾斜突っ張り（５１）を支える半回転軸（１５）を介してローラー接部（５２）が自重降下し、接して突っ張り、半円筒（４８）内のローラー（７）の右回転右移動を阻止する。
左下がり傾斜移行時の半円筒（４８）を右下がり傾斜の右の傾斜突っ張り（５１）の半回転軸（１５）の降下によるローラー接部（５２）が上向きに外れ、右のテコ棒（４９）の降下で半円筒（４８）内のローラー（７）の右回転右移動が可能になる。
右下がり傾斜の半円筒（４８）内のローラー（７）が右回転右移動終時、左の傾斜突っ張り（５１）の半回転軸（１５）を軸にローラー接部（５２）が自重による降下でローラーに接して突っ張り、ローラー（７）の左回転左移動を阻止する。
下アーム（４４）下部中心のバネ押拘束軸（４５）とシーソー台（２）下部中心に設けたバネ押拘束軸（４５）内で、傾きの半円筒（４８）に複数繋がる屈折繋（５３）下部材に移行するに従い部材長さも短く、Ｖ接部（５４）のＶ間隔も狭まる屈折繋（５３）の先端にバネ押拘束軸（４５）を中心に備えた碗形の基盤ローラー押し（５５）がテコ棒（４９）の左または右遠距離のテコ棒末端（５０）に吊り錘（１０）が載り、押された半円筒（４８）の傾きが屈折繋ぎ（５３）のＶ接部（５４）に伝わり、Ｖ間隔が狭まり、屈折繋ぎ（５３）の下部材移行するに従い押しバネ（２４）の押し力が伝わり、押しバネ（２４）の押し力を基盤ローラー押し（５５）を左右振りに変え、基盤中心のローラー（７）の左または右を押し、基盤接地ローラー（５６）が基盤接地して踏んばり、基盤ローラー押し（５５）の左右振りを補助する。
バネ押し力を距離比例に変え、基盤中心（５７）からシーソー台（２）の左右動を補助して、シーソー台（２）の左右移動をクランクシャフト（図省略）から弾み車（図省略）の回転に導く働きをする。
本発明は、以上の構成よりなるシーソー台支え位置変えによる片偏荷重を利用した発電補助装置である。
【発明を実施するための形態】
【０００５】    以下、本発明の実施例を図面に基ずいて説明する。
図１（Ａ）構成体および図２（Ｂ）構成体、図３（Ｂ）構成体拡大図は本発明の機構体の基盤（１）を台に、複数枚連結して対峙するシーソー台（２）とシーソー台（２）に載る錘荷重を、支え位置変えによる片偏荷重をテコに変え、押しバネ（２４）の押し力をテコの距離比例を利用して荷重の左右動と荷重降下による実施例を示す断面図である。
シーソー台（２）を交互に支える左折れ足（３）右折れ足（４）の下部に設けるＶ字形傾斜開口の屈折部（５）に嵌る重ねローラーの飛び出しで、Ｖ字開口が狭まり、屈折部（５）を介して深く折れる左折れ足（３）または右折れ足（４）に載るシーソー台（２）の右または左が傾斜状に降下し、載った錘荷重が右または左に傾き、載り錘（８）傾斜錘（９）吊り錘（１０）ロール錘（２３）も左右移動左右倒れして、片偏荷重で右または左重力降下で左右動して働く。
シーソー台（２）と錘荷重とシーソー台（２）の荷重を受け、深く折れる右折れ足（４）が片偏荷重で右移動し、凭れローラー（３８）に凭れ寸前、弾み車（図省略）の余力回転押しで錘荷重負担無し状になり、屈折部（５）の狭いＶ字開口を右折れ足（４）の屈折部（５）の上下で固定した押しバネ（２４）がＶ字開口を押し広げ、深いくの字に折れる右折れ足（４）を浅いくの字に折れにする働きをする。
浅いくの字に折れて凭れローラー（３８）に凭れる右折れ足（４）の右に設けた重ねローラー支え（１３）上部に備える右傾きのバランス重り（１４）が右外側に倒れ、半回転軸（１５）を介してローラー支え（１３）下部の重ねローラー（１１）が屈折部（５）のＶ字開口に嵌り、錘荷重支えを備える働きをする。
左折れ足（３）または右折れ足（４）が浅いくの字に折れる屈折部（５）に嵌るローラー支え（１３）下部の重ねローラー（１１）の飛び出しを阻止する阻止棒（１２）は、構成体内側にバランス重り（１４）を備え、半回転軸（１５）を介して阻止棒（１２）下部に設けたローラー（７）がローラー支え（１３）の上部バランス重り（１３）内に嵌り、左折れ足（３）または右折れ足（４）を浅いくの字状に保ち、シーソー台（２）を含む錘荷重負担の準備する働き。
バランス重り（１４）の荷重で均等にバランスを保つ阻止棒（１２）の左または右末端を他力で押し上げることにより阻止棒（１２）下部ローラー（７）がローラー支え（１３）上部から上向きに外れ、ローラー支え（１３）下部の重ねローラー（１１）がＶ字開口の屈折部（５）から飛び出し、シーソー台（２）を含む錘荷重負担で屈折部（５）のＶ字開口が狭まり、左折れ足（３）または右折れ足（４）の浅いくの字折れから深いくの字折れに変わり、シーソー台（２）を含む錘荷重負担で左または右傾斜降下の片偏荷重の左右移動が発生する働きをする。
シーソー台（２）の上部両端部から吊る錘吊り（１６）の吊り軸（２１）上部短距離位置の振れ軸（１８）に載り上部が左右に倒れる載り錘（８）と、錘吊り（１６）で吊る下錘吊り（１７）の吊り軸（２１）と短距離上部の振れ軸（１８）に載る傾斜錘（９）、下錘吊り（１７）の下端部に吊る吊り錘（１０）、ロール錘（２３）の荷重を左右交互に折れる左折れ足（３）、右折れ足（４）の片方で支え屈折を防ぐ屈折部（５）に嵌る重ねローラー（１１）が阻止棒（１２）の右または左外側先端を他力で押し上げることによる屈折部（５）から重ねローラー（１１）が飛び出し、屈折部（５）のＶ字開口が狭まり、右折れ足（４）が深いくの字に折れ、錘荷重とシーソー台（２）の荷重負担で右が傾斜状に降下し、この傾きで右の載り錘（８）の上部が右外側に倒れて、載り錘（８）外側に設けた傾斜錘押し（２０）が下錘吊り（１７）の振れ軸（１８）に載る傾斜錘（９）の上部右を下に押す。上部右を押された右の傾斜錘（９）は吊り軸（２１）上部の振れ軸（１８）までの下錘吊り（１７）短距離部を左に傾け、吊り軸（２１）の下錘吊り（１７）下部を右に振り、吊った吊り錘（１０）を右外側に押し出し、載り錘（８）を繋ぐ錘繋ぎ（１９）と傾斜錘（９）も繋ぐ錘繋ぎ（１９）を介して左の載り錘（８）と傾斜錘（９）も右内側に倒れ、左の吊り錘（１０）も右内側に引き、右振り動で右降下片偏荷重が生じる働きをする。
シーソー台（２）の上部中心で支える左右降下自在レール（２２）内を左右動するロール錘（２３）の両端部一体で働くローラー（７）がシーソー台（２）の左または右傾斜降下で回転降下移動し、自在レール（２２）の両端部に設けた押しバネ（２４）をロール錘（２３）左右荷重降下移動で押されて縮み、自在レール（２２）左または右端部に到達すると縮んだ押しバネ（２４）が反発してロール錘（２３）をシーソー台（２）の中心傾斜上方に短距離押し戻す働きをする。
左折れ足（３）右折れ足（４）を支える主ローラー（２５）は、左折れ足（３）または右折れ足（４）の深い屈折による下部のテコ部（２６）下部のローラー（７）が基盤壁（２７）を蹴り、テコ押しして左右が降下傾斜状になる傾斜動板（２８）上の主ローラー（２５）を右に押し、回転移動に導き、左右小幅に倒れる奴支え（２９）上のローラー（７）を介して傾斜動板（２８）上を右に回転移動して傾斜動板（２８）の右下がり傾斜に導き、シーソー台（２）を含む左折れ足（３）右折れ足（４）を右移動して、傾斜動板（２８）の左登り傾斜で、これを支える奴支え（２９）上部が左に倒れ、左折れ足（３）右折れ足（４）を含むシーソー台（２）に載る上部の全荷重を左から右、右から左に移し、左折れ足（３）右折れ足（４）下部の左右動で片偏荷重の働きをする。
シーソー台（２）を含む錘荷重を支えた左折れ足（３）左の重ねローラー（１１）が左の屈折部（５）から飛び出し、荷重を受けた左折れ足（３）によるシーソー台（２）の左降下左下がり傾斜が生じ、シーソー台（２）に載る載り錘（８）傾斜錘（９）が左方向に倒れ、吊り錘（１０）ロール錘（２３）の左移動または右降下右移動で左右往復動を繰返す。
シーソー台（２）の左降下で、シーソー台（２）の左右下部に設けた半回転軸（１５）で吊った横移動補助足（３０）下部のローラー（７）が基盤傾斜面（３１）に載り、菱繋ぎ（３２）で繋ぐ伸縮足（３３）下部のローラー（７）がシーソー台（２）を含む錘荷重で固定軸ローラー（３４）と基盤傾斜面（３１）に狭窄され、菱繋ぎの菱形状が（３２）が移動軸（３５）を介して板状に変形して伸び、伸縮足（３３）下部のローラー（７）が基盤押し受け（３６）の壁を蹴り、シーソー台（２）を含む錘荷重の左右移動を補助する働き。
シーソー台（２）の左降下で、シーソー台（２）の左下端部のローラー（７）が基盤傾斜面（３１）に載り、左下り方向に左回転で滑り左移動し、錘吊り（１６）下部の湾曲レール（３７）が左下端のローラー（７）に載り、左回転で左外側に押し出し、傾斜錘（９）吊り錘（１０）の片偏荷重で左移動を補助し、シーソー台（２）の右降下にも同じ働きをする。
シーソー台（２）下部中左右のシーソー台窪み（６）に錘荷重負担無しの右折れ足（４）上部ローラー（７）が嵌り時に、自重でＬ字に折れ縮んだ伸縮押し（３９）に接してバネ押し孔（４０）（詳細図省略）内で働く誘導ローラー（４１）と伸縮押し（３９）を挟む誘導ローラー（４１）の案内で、Ｌ字状に縮んだ伸縮押し（３９）を下から上に向け押し上げてＩ字状に伸ばし、自在レール（２２）下の左または右を押し上げ、左または右下がり傾斜に導き、ロール錘（２３）の左右回転移動、片偏荷重降下の動きが発生する。
錘荷重負担無しの左折れ足（３）または右折れ足（４）が左または右倒れ状態で過凭れ防止しの凭れローラー（３８）に凭れ、起きる移動を待機する。
シーソー台（２）と一体の上部のアーム（４２）中心の弾み車接続軸（４３）に接続するクランクシャフト（図省略）で拘束した左右振り幅をシーソー台（２）の左右振り幅終時、弾み車（図省略）の余力回転でシーソー台（２）の左または右の錘荷重負担の左折れ足（３）または右折れ足（４）が交互に錘荷重負担無しとなり、錘荷重負担の左折れ足（３）または右折れ足（４）が折れ、片偏荷重で、過倒れ防止して凭れローラー（３８）に凭れる初期の錘荷重負担無しの左折れ足（３）または右折れ足（４）を左または右に引き起こす働きをする。
シーソー台（２）と錘荷重負担と錘荷重無負担の左折れ足（３）と右折れ足（４）を支える主ローラー（２５）は、左折れ足（３）の深い屈折で左折れ足（３）下部のテコ部（２６）下部のローラー（７）が基盤壁（２７）をテコ押しして蹴り、左右が降下傾斜状になる傾斜動板（２８）の上に載る主ローラー（２５）を右に押し、左右小幅に倒れる奴支え（２９）上のローラー（７）を介して傾斜動板（２８）上を右移動して傾斜動板（２８）の右下がりの傾斜に導き、傾斜動板（２８）の右降下で、奴支え（２９）上部が左に倒れ、左折れ足（３）右折れ足（４）シーソー台（２）を含む錘荷重全部を左から右に滑り移動させてシーソー台（２）の右または左降下片偏荷重で左右交互に降下左右動する働き。
シーソー台（２）を支える左折れ足（３）または右折れ足（４）がくの字に折れ、シーソー台（２）の左または右降下が始まり、シーソー台（２）と錘荷重も加わり、蹴躓くように左右移動降下の片偏荷重が働く。
図２（Ｂ）構成体を実施するための形態を説明する。
シーソー台（２）と一体の下アーム（４４）下部中心に設けたバネ押拘束軸（４５）とシーソー台（２）下部中心に設けたバネ押拘束軸（４５）内で伸縮する鞘筒（４６）の上下に設けた固定軸（４７）で固定した押しバネ（２４）に押されるローラー（７）が半円筒（４８）と一体のテコ棒（４９）テコ棒末端（５０）に吊り錘（１０）が載り、テコ棒（４９）を下に押し、バネ押拘束軸（４５）内で押しバネ（２４）に押されたローラー（７）が半円筒（４８）内を右または左に回転移動して、左のテコ棒（４９）降下と一体で動く左下がり傾斜の半円筒（４８）内のローラー（７）の左回転左移動終時、半円筒（４８）左右位置に設けた右の傾斜突っ張り（５１）を支える半回転軸（１５）を介して傾斜突っ張り（５１）の自重で降下し、ローラー接部（５２）が接して突っ張り、半円筒（４８）内のローラー（７）の右回転左移動を阻止する働きをする。
左下がり傾斜の半円筒（４８）を右下がり傾斜移行時、右の傾斜突っ張り（５１）の半回転軸（１５）が降下してローラー接部（５２）が上方向に滑り外れて、ローラー（７）の右回転右移動を容易にする働き。
右下がり傾斜の半円筒（４８）内のローラー（７）が右回転右移動終時、左の傾斜突っ張り（５１）の半回転軸（１５）を軸に傾斜突っ張り（５１）の自重で降下して突っ張りローラー接部（５２）がローラー（７）の左回転左移動を阻止する働き。
左または右下がり傾斜の半円筒（４８）に複数繋がる屈折繋（５３）下部材に移行するに従い部材長さも短く、Ｖ接部（５４）のＶ間隔も狭まる屈折繋（５３）の先端にバネ押拘束軸（４５）を中心に備えた碗形の基盤ローラー押し（５５）がテコ棒（４９）の左または右遠距離のテコ棒末端（５０）に吊り錘（１０）が載り、押された半円筒（４８）の傾きが屈折繋（５３）のＶ接部（５４）に伝わり、Ｖ間隔が狭まり、屈折繋（５３）の下部材移行するに従い押しバネ（２４）の押し力を蛇がくねるように伝わり、押しバネ（２４）の押し力を基盤ローラー押し（５５）を左右振りに変えて、基盤中心のローラー（７）の左または右を押し、基盤接地ローラー（５６）が基盤接地して踏んばり、基盤ローラー押し（５５）の左右振りを補助する働き。
右下がり傾斜の半円筒（４８）内のローラー（７）が右回転右移動終時、左の傾斜突っ張り（５１）の半回転軸（１５）を軸にローラー接部（５２）が自重降下接して突っ張り、ローラー（７）の左回転左移動を防ぐ働きをする。
バネ押し力を距離比例に変え、基盤中心（５７）からシーソー台（２）の左右動を補助して、シーソー台（２）の左右移動をクランクシャフト（図省略）から弾み車（図省略）の回転に導く、或は、（Ａ）構成体を複数機、順次降下左右動して、従来のレシプロエンジンで活用の複数気筒の力をクランクシャフト伝達仕様を利用して、弾み車を省き、コンパクトにまとめて、増幅動力とすることができる。
【産業上の利用可能性】
【０００６】  図１（Ａ）機構体のシーソー台の支え位置変えによる、シーソー台と載り錘、傾斜錘、吊り錘、ローラー重りの左右倒れと左右振り、左右移動の片偏荷重重力降下左右往復移動と図２（Ｂ）機構体のバネ押し力を距離比例でシーソー台の左右往復移動を補助する機構体は複数台順次クランクシャフトに連結して稼働すれば内燃レシプロエンジンに匹敵する働きをして自動車、軌道車、船舶、発電等燃焼による爆発音または有害な副産物の発生しない発電補助装置を提供することができる。
【発明の効果】
【０００７】  本発明により、原発に代表する既存エネルギーによる副産物の公害も発生せず、原発事故の脅威、テロの脅威も無く、油を代表とした枯渇する天然資源の減少にもなり、微量の潤滑油程度でよく、比較的安価な鋼材等で補え、再生資源として利用でき、自動車は基より、電車、船舶、工場、家庭発電、あらゆる動力に利用でき、しかも、サイズをコンパクトから大規模まで作ることができて、摩擦熱程度の熱しか発生せず、可動音も低く、安価に製造できて、利用価値は大きく、現代社会においては必要不可欠である。
【図面の簡単な説明】
【０００８】
【図１】（Ａ）は本発明構成体シーソー台（２）と錘荷重支え位置変えによる片偏荷重の左右移動と重力降下を増幅動力とする実施例を示す断面図である。
【図２】（Ｂ）は、本発明構成体の押しバネ（２４）の押し力を距離比例のテコを利用してシーソー台（２）の左右動を補助する実施例を示す断面図である。
【図３】（Ｂ）は、本発明構成体の押しバネ（２４）の押し力を左右押し力に変える細部の拡大断面図である。
【符号の説明】
【０００９】図１
（１）                基盤
（２）                シーソー台
（３）                左折れ足
（４）                右折れ足
（５）                屈接部
（６）                シーソー台窪み
（７）                ローラー
（８）                載り錘
（９）                傾斜錘
（１０）              吊り錘
（１１）              重ねローラー
（１２）              阻止棒
（１３）              ローラー支え
（１４）              バランス重り
（１５）              半回転軸
（１６）              錘吊り
（１７）              下錘吊り
（１８）              振れ軸
（１９）              錘繋ぎ
（２０）              傾斜錘押し
（２１）              吊り軸
（２２）              自在レール
（２３）              ロール錘
（２４）              押しバネ
（２５）              主ローラー
（２６）              テコ部
（２７）              基盤壁
（２８）              傾斜動板
（２９）              奴支え
（３０）              横移動補助足
（３１）              基盤傾斜面
（３２）              菱繋ぎ
（３３）              伸縮足
（３４）              固定軸ローラー
（３５）              移動軸
（３６）              基盤押受け
（３７）              湾曲レール
（３８）              凭れローラー
（３９）              伸縮押し
（４０）              バネ押し孔
（４１）              誘導ローラー
（４２）              アーム
（４３）              弾み車接続軸
図２、図３
（４４）              下アーム
（４５）              バネ拘束軸
（４６）              鞘筒
（４７）              固定軸
（４８）              半円筒
（４９）              テコ棒
（５０）              テコ棒末端
（５１）              傾斜突っ張り
（５２）              ローラー接部
（５３）              屈折繋
（５４）              Ｖ接部
（５５）              基盤ローラー押し
（５６）              基盤接地ローラー
（５７）              基盤中心
【図１】
2014077426.tif 000003
【図２】
2014077426.tif 000004
【図３】
2014077426.tif 000005